(57)【要約】【課題】  車内助手席の背もたれにもたれさせ、座席上との間にはめ込み、バッグ、財布、携帯、書類、投函予定封書類等を、当袋体がない時とあまり変わらない、座席上に置く感覚で、運転しながらでも片手で出し入れ出来るはめ込み式受容空間体を提供する。【解決手段】  主に立体方向の前面、両側面部の三面部から成る壁体と、この三面部を成形固定する後面部と底面部から成り、座席の前方が上がり背もたれが後方へ傾く車内椅子の、背もたれにもたれさせながら座席上との間にはめ込んだ時、後面部と底面部はそれぞれの対応面に対し密着して添い、後面部と前面部は、より開口しかつその開口状態を保つように、水平面に対し外向きに９０度以上の傾斜で設けることを特徴とする。【選択図】図１
2013150759.tif 000002
【特許請求の範囲】
【請求項１】
主に立体方向の前面、両側面部の三面部から成る壁体と、この三面部を成形固定する後面部と底面部から成り、座席の前方が上がり背もたれが後方へ傾く車内椅子の、背もたれにもたれさせながら座席上との間にはめ込んだ時、後面部と底面部はそれぞれの対応面に対し密着して添い、後面部と前面部は、より開口しかつその開口状態を保つように、水平面に対し外向きに９０度以上の傾斜で設けることを特徴とする、はめ込み式受容空間体。
【請求項２】
後面部上端からの延長箇所をくりぬいて又は切り分けて背もたれ上端へのストッパー機能を内蔵するか、後面部の上端か側辺か最下辺に繋いで別のストッパー機能を設けた場合は背もたれへの密着を妨げないようにそれを接合し、当袋体が座席上に自然に置いた状態を保持出来る長さを有する、あるいはそのように出来る長さ調節を可能とする補助器具を備えることを特徴とする、請求項１記載の、はめ込み式受容空間体。
【発明の詳細な説明】
【技術分野】
【０００１】  本発明は、四方に壁面を有し上部が開口状態の、車内の助手席の背もたれと座席上に密着してはめ込んで設置し、運転する者が片手で物を出し入れ出来る受容空間体に関する。
【背景技術】
【０００２】  背もたれにバッグをくくりつけるためのベルトが、発明展で発表された。
【先行技術文献】
【特許文献】
【特許文献】実用新案登録第３０６５７５０
【０００３】
【発明の概要】
【発明が解決しようとする課題】
【０００４】  そのために次のような問題点があった。
助手席の座席上に置いた、バッグや買い物袋、財布、携帯が、急ブレーキをかけたり右折左折をする時に、滑り落ちるが、これを防止するためにベルトで縛る場合、
・片手で物を縛ることが出来なかった、又は背もたれとベルト間に片手で差し込むことはやりにくかった。
・対象物が縛れる大きさや形状でなければ、固定は不可能だった。
・縛ればバッグ本体の形状に、また、中の収納物の状態に影響があった。
・縛るだけでは固定は不完全であり、片手での取り出しは不可能であった。
前記文献の実用新案の場合は、通常バッグとして使用している物を、斜めの背もたれの裏側に吊り下げる物であって、
・一つの席の背もたれ部と座席上の交差箇所付近に、密着状態ではめ込んでは設置出来ず、上向きの開口箇所がなく、片手での物の出し入れはやりにくかった。
・蓋を開けて開口状態にすれば、助手席への固定が出来ず、仮に出来たとしても四方に囲まれていない状態になって、置いた物が滑り落ちることを阻止することはできなかった。
【発明を解決するための手段】
【０００５】  主に立体方向の前面、両側面部の三面部から成る壁体と、この三面部を成形固定する後面部と底面部から成り、座席の前方が上がり背もたれが後方へ傾く車内椅子の、背もたれにもたれさせながら座席上との間にはめ込んだ時、後面部と底面部はそれぞれの対応面に対し密着して添い、後面部と前面部は、より開口しかつその開口状態を保つように、水平面に対し外向きに９０度以上の傾斜で設けることを特徴とする。
【発明の効果】
【０００６】  バッグ、買い物小袋、財布、携帯、書類、投函予定封書類等が、滑り落ちなくなった。
買物小袋、財布等を、広い開口部から、当袋体がない時とあまり変わらない座席上に置く感覚で、運転しながらでも片手で出し入れが出来るようになった。
挿入物の変形を気にすることはなくなった。
挿入物が壁面より高く突き出しても、問題なく挿入出来るようになった。
【図面の簡単な説明】
【０００７】
【図１】  第一形態の水平面からの、ａは正面図、ｂは平面図である。
【図２】  第一形態の左側面図と座席への設置状態である。
【図３】  第一形態の使用斜視図である。
【図４】  第二形態のａは正面図、ｂは使用斜視図である。
【図５】  第二形態のａは正面図、ｂは使用斜視図である。
【図６】  第二形態の後面部延長箇所の例である。
【発明を実施するための形態】
【０００８】  本発明の実施の形態について説明する。水平面に対して、座席上面は前に向け上向きに、背もたれの傾きは、後側へ傾いて製造されているとし、背もたれや座席上のカーブ等は描画せずシンプル形で説明する。使用材質の条件は、開口状態が保持できる自立可能なまたは補助材で自立可能とする、かつ、背もたれに対して形状か粘着材付着か材質等で密着状態に近づける。また、衝撃が加えられた場合、凹み易く人体に傷がつかない材質ともする。防犯上、収納物が車の外部からより見えるような、網目類や透明な生地が好ましい。
先ず図１〜図３を用いて、第一形態について説明する。水平面に対する作図とする。
図１ａの正面図で、左側面部（１）、後面部（２）、右側面部（３）、前面部（４）、底面部（５）で成り、前面部の上端位置が後面部より低いことを示す。ｂの平面図で内側からの底面部を示す。後面部は、摩擦力、粘着力によって固定する目的があるため、背もたれへの接触面を多くした方がよく、摩擦力の多い材質がより良い。底面部は同様の扱いをしたり、物を挿入することによってその力が生じることを利用する。
図２ａで、左側面図と水平ライン（６）を示し、ｂで、背もたれと座席上との間を９０度以上に広げた状態で、本願を背もたれ（７）にもたれさせ、座席上（８）に載せ、この両面間にはめ込んで設置した時の、左側面からの状態を示す。図３は使用斜視図で、バッグや書類等の挿入物（９）と本願との関係を示す。
【０００９】  図４〜図６を用いて、後面部の延長箇所を有する、第二形態を説明する。
図４ａの正面図で、後面部（２）と、第一形態の後面部の上端を延長し、後面部の延長箇所（１１）とそこに内蔵する穴（１０）と、前面部（４）、底面部（５）を示す。ｂは使用斜視図で、背もたれ（７）とヘッド（１２）と延長箇所と本願の開口状態を示す。
図５ａの正面図で、前面部、後面部と、二本の延長箇所を繋ぐことによって中を穴状にした場合を示す。ｂは使用斜視図で、挿入物（９）の状態を示す。
図６で、底面部を座席上に置いた状態が保持出来るように、長さ調節するストッパー類の例を説明すると、ａは後面部を左右に延長し延長箇所を設けた正面図で、当延長箇所は背もたれを一周して縛るもの、ｂは前述の穴を成形した箇所を切断して、ボッチ（１３）と小穴（１４）を設け高さに合わせ留めるもの、ｃは底面部下端からの延長箇所として、背もたれ下端と座席上部の間に差し込める、差し込み片（１５）を設けて、固定するものである。
【符号の説明】
【００１０】１    左側面部              ２    後面部                ３    右側面部
４    前面部                ５    底面部                ６    水平ライン
７    背もたれ              ８    座席上                ９    挿入物
１０  穴                    １１  延長箇所              １２  ヘッド
１３  ボッチ                １４  小穴                  １５  差し込み片
【図１】
2013150759.tif 000003
【図２】
2013150759.tif 000004
【図３】
2013150759.tif 000005
【図４】
2013150759.tif 000006
【図５】
2013150759.tif 000007
【図６】
2013150759.tif 000008
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
主に立体方向の前面、両側面部の三面部から成る壁体と、この三面部を繋ぐ後面部と底面部から成り、車内椅子の背もたれにもたれさせながら座席との間にはめ込んだ時、後面部と底面部はそれぞれの対応面に対し密着して添い、後面部と前面部はより開口しかつその開口状態を保つように、座席上面方向と水平方向の両方に対する垂線位置より外向きに傾斜するように内角側を９０度以上で設けることを特徴とする、はめ込み式受容空間体。
【請求項２】
後面部上端からの延長箇所をくりぬいて又は切り分けて背もたれ上端へのストッパー機能を内蔵するか、後面部の上端か側辺か最下辺に繋いで別のストッパー機能を設けた場合は背もたれへの密着を妨げないようにそれを接合し、かつ座席の前方が上がり背もたれが後方へ傾く座席上に本体を自然に置いた状態を保持出来る長さを有する、あるいはそのように出来る長さ調節を可能とする補助器具を備えることを特徴とする、請求項１記載の、はめ込み式受容空間体。
【請求項３】
少なくとも一方の側面部の上端は斜めか湾状で前面部から上向きに後面部へ繋がっていることを特徴とする、請求項１、２記載の、はめ込み式受容空間体。
【手続補正２】
【補正対象書類名】明細書
【補正対象項目名】０００５
【補正方法】変更
【補正の内容】
【０００５】  主に立体方向の前面、両側面部の三面部から成る壁体と、この三面部を繋ぐ後面部と底面部から成り、車内椅子の背もたれにもたれさせながら座席との間にはめ込んだ時、後面部と底面部はそれぞれの対応面に対し密着して添い、後面部と前面部はより開口しかつその開口状態を保つように、座席上面方向と水平方向の両方に対する垂線位置より外向きに傾斜するように内角側を９０度以上で設けることを特徴とする。
【手続補正３】
【補正対象書類名】明細書
【補正対象項目名】０００７
【補正方法】変更
【補正の内容】
【０００７】
【図１】  第一形態の水平面からの、ａは正面図、ｂは平面図である。
【図２】  第一形態の左側面図と座席への設置状態である。
【図３】  第一形態の使用斜視図である。
【図４】  第二形態のａは正面図、ｂは使用斜視図である。
【図５】  第二形態のａは正面図、ｂは使用斜視図である。
【図６】  第二形態の後面部延長箇所の例である。
【図７】  水平線、垂線、椅子上面の傾き、前面部と後面部の関係を示す。
【図８】  第二形態で内側にポケット類を設けた例である。
【図９】  第二形態の前面部に取って部を設けた例である。
【手続補正４】
【補正対象書類名】明細書
【補正対象項目名】０００９
【補正方法】変更
【補正の内容】
【０００９】  図４〜図６を用いて、後面部の延長箇所を有する、第二形態を説明する。
図４ａの正面図で、後面部（２）と、第一形態の後面部の上端を延長し、後面部の延長箇所（１１）とそこに内蔵する穴（１０）と、前面部（４）、底面部（５）を示す。ｂは使用斜視図で、背もたれ（７）とヘッド（１２）と延長箇所と本願の開口状態を示す。
図５ａの正面図で、前面部、後面部と、二本の延長箇所を繋ぐことによって中を穴状にした場合を示す。ｂは使用斜視図で、挿入物（９）の状態を示す。
図６で、底面部を座席上に置いた状態が保持出来るように、長さ調節するストッパー類の例を説明すると、ａは後面部を左右に延長し延長箇所を設けた正面図で、当延長箇所は背もたれを一周して縛るもの、ｂは前述の穴を成形した箇所を切断して、ボッチ（１３）と小穴（１４）を設け高さに合わせ留めるもの、ｃは底面部下端からの延長箇所として、背もたれ下端と座席の間に差し込める、差し込み片（１５）を設けて、固定するものである。
図７は水平ライン（６）に対して座席上面の傾きαと、３箇所の垂線を示した。後面部と前面部は共に底面部が水平ライン上にある場合に、その内角は９０度以上で成り、座席上面（８）ライン上にある場合は、後面部は、座席上面の傾きと背もたれの傾きが仮に同じならばこの内角は９０度の場合も範囲となり、前面部は垂線同位置以上前側にあるためには、内角は９０度＋α以上で設ける必要があり、前後の内角の設定条件は異なってくる。後面部は背もたれに比べ傾きが大きくても柔軟な両側面がそれを吸収し問題はない。前面部は高さ幅が短いため内容物が飛び出す可能性があるので、この高さと出し入れに邪魔にならない間口の広がり、底面部前面やその上端ラインの外側へのカーブ、材質等との兼ね合いで欲しい傾きが決まる。全体的には重心位置が後方にある形状となる。本願を設置した椅子に人が座る場合もあるので、背もたれ、座席は人体に好ましい角度での設定とする。
図８は本願の内部にポケットや仕切りを設けた場合を示す。常備する物以外は片手で挿入可能という目的が守れる範囲の位置や大きさ、開口状態となる。
図９は前面部に設ける取って部の種類で、ａは前面部に孔を空けて、ｂは指や延長箇所を差し込める空間程度で、ｃは疑似的な取って部として延長箇所を固定した際の、対の取って部として設けた例である。同じ高さまで設けても、前後面部の高さ幅が異なるため、同じ長さになることはない。助手席に人が座る時に移動させるような場合に使用する。
尚、本願は、後部座席や室内の通常の椅子にも取り付けられ、物入れ用やペット用に使用出来る。使用時に遠い側になる側面部（１又は３）の高さは問わない。
【手続補正５】
【補正対象書類名】図面
【補正対象項目名】全図
【補正方法】変更
【補正の内容】
【図１】
2013150759.tif 000009
【図２】
2013150759.tif 000010
【図３】
2013150759.tif 000011
【図４】
2013150759.tif 000012
【図５】
2013150759.tif 000013
【図６】
2013150759.tif 000014
【図７】
2013150759.tif 000015
【図８】
2013150759.tif 000016
【図９】
2013150759.tif 000017